(57)【要約】【課題】スパイクを備えた靴底が、ＭＰ関節において大きく屈曲するのを抑制し、足の底効率良く推進力を発生させる。【解決手段】ヤング率の小さい第１樹脂１０と、該第１樹脂１０よりもヤング率の大きい第２樹脂２０とで一体に形成され、第１樹脂１０がＭＰ関節から爪先の間にわたって設けられ、第２樹脂２０が概ね第１指ｆ１および第５指ｆ５に沿って帯状に設けられた第１帯状部２１および第２帯状部２２を有し、第１帯状部２１は、少なくとも前足部２Ｆの後端から第１指ｆ１の基節骨Ｂ１近位骨頭の部位まで設けられ、第２帯状部２２は、少なくとも前足部２Ｆの後端から第５指ｆ５の基節骨Ｂ５近位骨頭の部位まで設けられている。【選択図】        図３
2005296093.tif 000002
【特許請求の範囲】
【請求項１】
非発泡体の樹脂を主材料とする靴底の底面から突出するスパイクを備えた靴底において、
前記樹脂がヤング率の小さい第１樹脂と、該第１樹脂よりもヤング率の大きい第２樹脂とで一体に形成され、
前記第１樹脂が前足部のＭＰ関節から爪先の間にわたって設けられ、
前記第２樹脂が概ね第１指および第５指に沿って帯状に設けられた第１帯状部および第２帯状部を有し、
前記第１帯状部は、少なくとも前足部の後端から第１指の基節骨近位骨頭の部位まで設けられ、
前記第２帯状部は、少なくとも前足部の後端から第５指の基節骨近位骨頭の部位まで設けられているスパイクを備えた靴底。
【請求項２】
請求項１において、前記第１および第２帯状部は、それぞれ、前記基節骨近位骨頭から前記基節骨遠位骨頭に向って延びており、前記ＭＰ関節から基節骨遠位骨頭の近傍に至る領域において、足の屈曲により生じる曲げに対する剛性が、前記遠位骨頭に近づくに従い、概ね徐々に小さくなるように形成されているスパイクを備えた靴底。
【請求項３】
請求項２において、前記第１および第２帯状部は、前記ＭＰ関節から基節骨遠位骨頭に近づくに従い、幅および／または厚さが小さくなっているスパイクを備えた靴底。
【請求項４】
請求項１、２もしくは３において、前記第１帯状部は、前記第１指の基節骨遠位骨頭の近傍まで延びて配置されていると共に、末節骨まで延びていないスパイクを備えた靴底。
【請求項５】
請求項１，２，３もしくは４において、前記第２帯状部は、前記第５指の末節骨近位骨頭まで延びて配置されているスパイクを備えた靴底。
【請求項６】
請求項１〜５のいずれか１項において、前記第２樹脂は、前記第１帯状部と前記第２帯状部との間を連結する帯状の連結バーを有し、前記連結バーが概ね第２指、第３指および第４指の中足骨骨頭に沿って配置されているスパイクを備えた靴底。
【請求項７】
請求項６において、前記連結バーと第１および第２帯状部とは、それぞれ、前記第１指および第５指のＭＰ関節を概ね中心として連なっているスパイクを備えた靴底。
【請求項８】
請求項１〜７のいずれか１項において、
前記第１および第２帯状部は、その周縁部が前足部において前記第１樹脂によって覆われ、かつ、非周縁部が第１樹脂によって覆われていないスパイクを備えた靴底。
【発明の詳細な説明】
【技術分野】
【０００１】
本発明はスパイクを備えた靴底に関するものである。
【背景技術】
【０００２】
陸上用のスパイクシューズにおいては、硬い樹脂からなる硬質板がアッパーを底面から覆っている。（特許文献１，２）
【特許文献１】特許第３４６２８０７号
【０００３】
この種の硬質板は、一般に、ＭＰ関節（中足骨と基節骨との間の関節）における大きな屈曲を許容するため、ＭＰ関節が大きく背屈する。
【０００４】
しかし、ＭＰ関節が大きく背屈すると、蹴り出しの際屈曲に要する時間をロスするので、走行の速度低下を招く。一方、下記の特許文献２には、第１および第５中足骨骨頭まで延在する枝状部を備えた強化部材が開示されている。
【特許文献２】特表２００３−５００１４１号（要約，００２６，ＦＩＧ４）
【０００５】
前記特許文献２においては、足の内側に配置された枝状部が第１中足骨骨頭を越えて延在している。しかし、足の外側の枝状部は、第５中足骨骨頭を越えた位置まで延びていない。前方への高い推進力を得るためには、蹴り出しの際、靴底は推進方向に対して垂直に屈曲しなければならないが、前記特許文献２の構造では靴底が推進方向に対して斜め外向きに屈曲し、蹴り出しの方向が外側へ誘導され易くなる。したがって、前方への推進力が低下し易い。
【発明の開示】
【０００６】
本発明は、スパイクを備えた靴底が、ＭＰ関節において大きく屈曲するのを抑制し、効率良く推進力を発生させることを目的とする。
【０００７】
前記目的を達成するために、本発明は、非発泡体の樹脂を主材料とする靴底の底面から突出するスパイクを備えた靴底において、前記樹脂がヤング率の小さい第１樹脂と、該第１樹脂よりもヤング率の大きい第２樹脂とで一体に形成され、前記第１樹脂が前足部のＭＰ関節（中足趾節関節）から爪先の間にわたって設けられ、前記第２樹脂が概ね第１指および第５指に沿って帯状に設けられた第１帯状部および第２帯状部を有し、前記第１帯状部は、少なくとも前足部の後端から第１指の基節骨近位骨頭の部位まで設けられ、前記第２帯状部は、少なくとも前足部の後端から第５指の基節骨近位骨頭の部位まで設けられている。
【０００８】
本発明においては、足の内側の第１帯状部および足の外側の第２帯状部の双方が、それぞれ、ＭＰ関節を越えて基節骨近位骨頭の部位まで延びている。そのため、前足がＭＰ関節のみにおいて屈曲するのを抑制できるので、前足の屈曲がＭＰ関節および爪先部の両方の広いエリアで生じる。すなわち、ＭＰ関節における底屈を抑制し、キック時の背屈が主に爪先部のエリアで生じる。
【０００９】
しかも、ＭＰ関節から爪先に渡る領域には、発泡樹脂ではなくヤング率の小さい非発泡性の第１樹脂で形成されているから、爪先部において過大な屈曲が生じるおそれもない。したがって、走行の速度を向上させ得る。
【００１０】
さらに、第１指だけではなく第５指についても帯状部が基節骨近位骨頭の部位まで延びているので、蹴り出しの際、靴底は推進方向に対して垂直に屈曲し、推進方向に沿った大きな推進力が得られる。
【００１１】
本発明の好ましい実施例においては、前記第１および第２帯状部は、それぞれ、前記基節骨近位骨頭から前記基節骨遠位骨頭に向って延びており、前記ＭＰ関節から基節骨遠位骨頭の近傍に至る領域において、足の屈曲により生じる曲げに対する剛性が、前記遠位骨頭に近づくに従い、概ね徐々に小さくなるように形成されている。
【００１２】
この実施例においては、前足の爪先に近づくに従い屈曲し易くなっていることで、爪先に近づく程屈曲の自由度が大きくなる。したがって、走り易い。
【００１３】
本発明において、前記第１帯状部は、前記第１指の基節骨遠位骨頭の近傍まで延びて配置されていると共に、末節骨まで延びていないのが好ましい。これにより、第１指については、末節骨と基節骨との間の指節（趾節）間関節における屈曲の自由度を高めて自然な走り易さを確保することができる。
【００１４】
一方、前記第２帯状部については、前記第５指の末節骨近位骨頭まで延びて配置されているのが好ましい。
これにより、第５指については、末節骨と基節骨との間の屈曲を抑制でき不要な足の屈曲を抑制することができる。
【００１５】
本発明の別の好ましい実施例において、前記第２樹脂は、前記第１帯状部と前記第２帯状部との間を連結する帯状の連結バーを有し、前記連結バーが概ね第２指、第３指および第４指の中足骨骨頭に沿って配置されている。
【００１６】
このように、連結バーを設けることで、ＭＰ関節よりも後方における前足部の屈曲を抑制すると共に、第２指〜第４指のＭＰ関節およびその前方における曲げを許容することができる。
また、２本の帯状部のネジレを抑制することもできる。
【００１７】
前記連結バーと第１および第２帯状部とは、それぞれ、前記第１指および第５指のＭＰ関節を概ね中心として連なっているのが好ましい。これにより、第１指および第５指については、ＭＰ関節部分の剛性が最も大きくなるので、第１指および第５指についてはＭＰ関節での屈曲を抑制でき、一方、第２〜第４指についてはＭＰ関節における屈曲が比較的容易となる。これにより、蹴り出し方向の内外へのブレを抑制して、前方への推進力を著しく高めることができる。
【００１８】
なお、前記第１および第２帯状部は、その周縁部が前足部において前記第１樹脂によって覆われ、かつ、非周縁部が第１樹脂によって覆われていないのが好ましい。これにより、軽量化と双方の樹脂の界面での割れ防止を図り得る。
【発明を実施するための最良の形態】
【００１９】
以下、本発明の実施例を図面にしたがって説明する。
図１（ａ）〜（ｃ）は、それぞれ、陸上競技用の靴を示す内側面図、底面図および外側面図、図２は該靴の背面図である。なお、以下の説明では、右足用の靴を例示して説明する。
【００２０】
図１および図２に示すように、この陸上競技用の靴は、足を包むアッパー１と、該アッパー１の外側に設けられた靴底２とを備えている。靴底２は、非発泡体の樹脂を主材料として形成されている。図１（ｂ）に示すように、靴底２の前足部２Ｆには、該靴底２の底面から突設された金属性のスパイク３や、スパイクを別途取り付けるための金属性のスパイク取付部材４などが設けられている。
【００２１】
第１および第２樹脂１０，２０：
前記靴底２は、たとえば、熱可塑性樹脂で構成されており、ヤング率の小さい第１樹脂１０と、該第１樹脂１０よりもヤング率の大きい第２樹脂２０とからなる２色の樹脂が一体に形成されてなる。したがって、第２樹脂２０は第１樹脂１０よりも足の屈曲により生じる曲げに対する剛性が大きく設定されている。
【００２２】
第１樹脂１０：
図３（ｂ）に示すように、第１樹脂１０は、前足部２Ｆに設けた前領域１１、踵部２Ｈに設けた後領域１２、および前領域１１と後領域１２とを繋ぐ繋部１３を備えている。
図３（ａ）〜（ｃ）は、それぞれ、靴底２の内側面図、底面図および外側面図である。なお、図３では前記２色の樹脂を互いに区別するため、第２樹脂２０に網点を施している。
前領域１１はＭＰ関節から爪先の間にわたって設けられている。前記ＭＰ関節とは、基節骨Ｂ（図３（ｂ）の斜線で示した部分）と中足骨Ｃとによって構成される関節のことをいう。
【００２３】
図３（ｃ）に示すように、前記繋部１３は、足の外側面に沿って略「へ」字状に形成されており、足のアーチの外側を側面から覆っている。前記後領域１２は、後述する補強装置の一部を構成しており、踵部２Ｈの一部に設けられている。前領域１１、後領域１２および繋部１３は、互いに滑らかに接続され、一体に形成されている。
【００２４】
第２樹脂２０：
図３（ｂ）に示すように、第２樹脂２０は、第１〜第５帯状部２１〜２５および連結バー３０を備えている。第１〜４帯状部２１〜２４は、踏まず部２Ｂにおいて互いに一体に接続されており、シャンク２６を形成している。第１〜第４帯状部２１〜２４は、シャンク２６を中心に略「Ｘ」字状に滑らかに接続されている。このシャンク２６は、運動時の足のネジレを抑制する。
【００２５】
連結バー３０は、前足部２Ｆにおいて、第１帯状部２１と第２帯状部２２とを一体に連結している。第１帯状部２１、第２帯状部２２および連結バー３０は、互いに滑らかに接続され、一体に形成されている。なお、第３〜第５帯状部２３〜２５は、後述する補強装置の一部を構成している。
【００２６】
第１樹脂１０の一部は第２樹脂２０よりも下側に設けられている。連結バー３０、第１および第２帯状部２１，２２は、第１樹脂１０の前領域１１の後部と重なり合っている（オーバーラップしている）。図１（ｂ）に示すように、第１および第２帯状部２１，２２と連結バー３０は、その周縁部が前足部２Ｆにおいて、第１樹脂１０によって下側から覆われており、かつ、非周縁部（第１および第２帯状部２１，２２、ならびに、連結バー３０のうち周縁部以外の部分）が第１樹脂１０によって覆われていない。すなわち、底面側から見ると、第１および第２帯状部２１，２２と連結バー３０上の部分において、第１樹脂１０によって覆われていない部分が、略「Ｈ」字状に存在している。
【００２７】
このように、前足部２Ｆにおいて、材料特性の違う樹脂を接着する際、第１樹脂１０により第２樹脂２０の周縁部を覆うことで、接着代（接着面積）をかせぐことができ、第１樹脂１０と第２樹脂２０との界面での割れを防止することができる。つまり、第１樹脂１０が第２樹脂２０から剥がれ難い。
また、第１樹脂１０で、第２樹脂２０の周縁部のみを覆うことにより、第２樹脂２０の表面全体を覆う場合に比べ、靴底２の軽量化を図ることができる。
【００２８】
第２帯状部２２は、第１樹脂１０の繋部１３の前端部と若干オーバーラップしている。一方、踵部２Ｈにおいては、第３帯状部２３および第５帯状部２５の一部と第１樹脂１０の後領域１２とがオーバーラップしている。
【００２９】
つぎに、靴底２の詳細な構成について説明する。
前足部２Ｆ：
第１帯状部２１；
図３（ｂ）に示すように、第１帯状部２１は、前足部２Ｆの後端（中足骨Ｃの足長方向の概ね中央）から第１指ｆ１の第１基節骨Ｂ１近位骨頭の部位まで設けられている。第１帯状部２１は、第２，３楔状骨Ｄ２，Ｄ３の部位から、第２中足骨Ｃ２および第１中足骨Ｃ１の部位を通って、第１基節骨Ｂ１の部位に至る領域に帯状に設けられている。
【００３０】
第１帯状部２１は、第１指ｆ１の第１基節骨Ｂ１遠位骨頭の近傍まで延びて配置されていると共に、第１末節骨Ａ１まで延びていない。したがって、剛性の高い第２樹脂２０からなる第１帯状部２１が、指節間関節（末節骨Ａと基節骨Ｂとの間の関節）を越えて第１末節骨Ａ１まで延びていないから、第１末節骨Ａ１と第１基節骨Ｂ１との間を曲げることが比較的容易となる。そのため、第１指ｆ１において、第１末節骨Ａ１と第１基節骨Ｂ１との間の指節（趾節）間関節における屈曲の自由度を高めて、自然な走り易さを確保することができる。
【００３１】
第２帯状部２２；
第２帯状部２２は、前足部２Ｆの後端（中足骨Ｃの足長方向の概ね中央）から第５指ｆ５の第５基節骨Ｂ５遠位骨頭の部位まで設けられている。第２帯状部２２は、第４中足骨Ｃ４の部位から、第５中足骨Ｃ５の部位を通って、第５基節骨Ｂ５の部位に至る領域に帯状に設けられている。
【００３２】
第２帯状部２２は、前記第１帯状部２１と異なり、指節間関節を越えて第５末節骨Ａ５遠位骨頭まで延びて配置されている。したがって、第５指ｆ５については、剛性の高い第２樹脂２０からなる第２帯状部２２が、第５末節骨Ａ５と第５基節骨Ｂ５との間の屈曲を抑制することにより、不要な足の屈曲を抑制することができる。
なお、第２帯状部２２は、少なくとも第５末節骨Ａ５近位骨頭以上まで延びて配置されていれば、当該効果を得ることができる。
【００３３】
第１および第２帯状部２１，２２；
第１および第２帯状部２１，２２は、それぞれ、ＭＰ関節から基節骨Ｂ１，Ｂ５遠位骨頭に至る領域において、足の屈曲により生じる曲げに対する剛性が、当該遠位骨頭に近づくに従い、概ね徐々に小さくなるように形成されている。すなわち、前足部２Ｆの爪先に近づくに従い、屈曲し易くなっていることで、爪先に近づく程、屈曲の自由度が大きくなるように設定されている。
【００３４】
すなわち、図３（ａ）〜（ｃ）に示すように、ＭＰ関節から基節骨Ｂ１，Ｂ５遠位骨頭に近づくに従い、第１および第２帯状部２１，２２の幅および厚さが小さくなるように設定されている。たとえば、図３（ｂ）に示すように、第１および第２帯状部２１，２２は、ＭＰ関節から基節骨Ｂ１，Ｂ５遠位骨頭に近づくに従い幅が狭くなっていると共に、図３（ａ），（ｃ）に示すように、厚さが徐々に小さくなるように設定されている。
したがって、前足部２Ｆに行くに従い、第１および第２帯状部２１，２２の剛性が徐々に小さくなる。
【００３５】
図３（ａ）〜（ｃ）に示すように、第１樹脂１０の前領域１１には、底面側に突出した突出部１０ａ，１０ｂが形成されている。突出部１０ａ，１０ｂは、第１帯状部２１および第２帯状部２２の前端部を覆うと共に、当該前端部に滑らかに連なるように形成されている。図１（ｂ）に示すように、突出部１０ａ，１０ｂは前方に行くに従い、徐々に幅が狭くなり、かつ、図１（ａ），（ｂ）に示すように、厚さが徐々に小さくなっている。
したがって、前足部２Ｆに行くに従い第１および第２帯状部２１，２２の剛性が徐々に小さくなると共に、突出部１０ａ，１０ｂにより、当該部分の第１樹脂１０と第２樹脂２０とが滑らかに繋がり、剛性が徐々に小さくなる。
【００３６】
このように、前足部２Ｆの爪先に近づくに従い、屈曲し易くなっていることで、爪先に近づく程屈曲の自由度が大きくなる。
【００３７】
連結バー３０；
図３（ｂ）に示すように、前記連結バー３０は、第２指ｆ２、第３指ｆ３および第４指ｆ４の中足骨Ｃ２，Ｃ３，Ｃ４の遠位骨頭に沿って配置されている。
したがって、ヤング率の大きい第２樹脂２０で形成された連結バー３０が、ＭＰ関節よりも後方に設けられているので、該ＭＰ関節よりも後方における足の屈曲を抑制することができる。また、第２〜第４指ｆ２〜ｆ４のＭＰ関節の前方には、第２樹脂２０は配置されておらず、かつ、本質的に第２樹脂２０以上の剛性を有する樹脂は配置されていないので、第２〜第４指ｆ２〜ｆ４のＭＰ関節およびその前方における曲げを許容することができるから、前足がＭＰ関節において屈曲するのを抑制しつつ、前足の屈曲がＭＰ関節および爪先部の両方の広いエリアで生じるようにすることが可能である。
また、連結バー３０により、第１および第２帯状部２１，２２のネジレを抑制することができる。
【００３８】
一方、連結バー３０と、第１および第２帯状部２１，２２とは、それぞれ、第１指ｆ１および第５指ｆ５のＭＰ関節を概ね中心として連なって形成されている。すなわち、第１および第２帯状部２１，２２と連結バー３０との交差位置は、それぞれ、概ね、第１指ｆ１および第５指ｆ５のＭＰ関節の部位である。
【００３９】
したがって、第１指ｆ１と第５指ｆ５については、ＭＰ関節部分の剛性が最も大きいので、第１指ｆ１および第５指ｆ５についてはＭＰ関節の屈曲を抑制し、一方、第２〜第４指ｆ２〜ｆ４についてはＭＰ関節における屈曲が比較的容易となる。これにより、蹴り出し方向の内外へのブレを抑制して、前方への推進力を高めることができる。
【００４０】
なお、第１および第２帯状部２１，２２、ならびに、連結バー３０により、足の踏まず部からＭＰ関節に至る領域において、第２樹脂２０が略三角形状に形成されており、両帯状部２１，２２および連結バー３０に囲まれる部分に貫通孔が形成されている。
【００４１】
繋部１３：
図１（ｃ）に示すように、第１樹脂１０の繋部１３は、前述したとおり略「へ」字状に形成されており、当該「へ」字状の部分がアッパー１の外側から足の踏まず部の外側面にフィットする形状に形成されている。なお、繋部１３と第２樹脂２０のシャンク２６とは互いに離間して配置されており、その間には貫通孔が形成されている。
【００４２】
踵部２Ｈの補強装置：
図３（ｂ）に示す第１樹脂１０の後領域１２および第３〜第５帯状部２３〜２５は、アッパー１と一体となって足に沿う補強装置を構成している。
【００４３】
第４帯状部２４；
第４帯状部２４は、踵骨Ｇの底面から内側面にかけて覆うように設けられている。図３（ａ）に示すように、第４帯状部２４は、踵の内側面の一部を覆う内側面部２４ｓと、踵の底面の一部を覆う底面部２４ｄ（図３（ｂ））と、該底面部２４ｄから内側面部２４ｓへ巻き上がる内巻上部２４ｕとが一体に成形されている。
【００４４】
第５帯状部２５；
図３（ｂ）に示すように、第５帯状部２５は第４帯状部２４の後方に設けられており、踵骨Ｇの底面から側面にかけて設けられている。図３（ａ）に示すように、第５帯状部２５は第４帯状部２４と同様に、それぞれ、踵の一部を覆う内側面部２５ｓ、底面部２５ｄ（図３（ｂ））および内巻上部２５ｕが一体に成形されてなる。
【００４５】
第４帯状部２４および第５帯状部２５により、内巻上部２４ｕ，２５ｕおよび内側面部２４ｓ，２５ｓは前後に２条に分けられて配置されている。第４帯状部２４と第５帯状部２５とは、その内側面部２４ｓ，２５ｓの上部において接合されている。
【００４６】
図４は靴底２に荷重が加わった状態の側面図であり、図４（ａ）は右足部分の内側面側、図４（ｂ）は左足部分の外側面側を示している。
図４（ａ）に示すように、荷重が加わった状態では、第４および第５帯状部２４，２５の内側面部２４ｓ，２５ｓは、踵骨の上端部（踵骨隆起Ｇ１の上端部Ｇｕ）まで覆っていると共に、距骨Ｊを全く覆っていない。更に、第４帯状部２４の内側面部２４ｓは舟状骨Ｅの下端の一部を覆っている。
【００４７】
第３帯状部２３；
図３（ｂ）に示すように、第３帯状部２３は踵骨Ｇの底面の内側から立方骨Ｆの底面にかけて覆うように設けられている。第３帯状部２３は、踵の底面の一部を覆う底面部２３ｄを備えている。前記第５帯状部２５の底面部２５ｄは、第３帯状部２３の底面部２３ｄに接続されている。したがって、第３〜第５帯状部２３，２４，２５によって、貫通孔２０ｈが形成されている。このように、貫通孔２０ｈを形成することにより靴の軽量化を図ることができる。
【００４８】
前述のように、第１〜第４帯状部２１〜２４は、踏まず部２Ｂにおいて互いに接続され、一体に成形されている。したがって、補強部材の一部を構成する第３および第４帯状部２３，２４は、前記第１および第２帯状部２１，２２と共に、踏まず部２Ｂの屈曲を抑制するプレート状のシャンク２６を形成している。すなわち、踵部２Ｈの補強装置はシャンク２６と一体に形成されている。かかるシャンク２６によって、足のネジレを抑制することができる。
【００４９】
図２の背面図に示すように、第５帯状部２５における内側面部２５ｓは、踵部２Ｈの背面において大きく切欠されていると共に、二点鎖線で示すように、その横断面が足の湾曲に沿うように湾曲している。第４帯状部２４の横断面においても、第５帯状部２５と同様に横断面が足の湾曲に沿うように湾曲している。
【００５０】
保形部材６；
図２に示すように、踵の背面部分には第１樹脂１０および第２樹脂２０は配置されていない。当該踵の背面部分のアッパー１には、図２の破線で示すように、たとえば、厚紙などで形成された保形部材（芯材）６が介挿され、固定されている。
前記保形部材６の内側面側は、アッパー１を介して第５帯状部２５の内側面部２５ｓに固定されている。また、保形部材６の底面側は、アッパー１を介して第５帯状部２５の底面部２５ｄおよび後領域１２の底面部１２ｄに固定されている。
なお、本実施例においては、保形のために保形部材６を使用したが、必ずしもかかる保形部材を使用せずともよく、使用しない場合はよりフィット性を高めることができる。
【００５１】
第１締付部材５１；
アッパー１には、第４および第５帯状部２４，２５を足の甲ＦＵの中央に向って引き上げて固定するための第１締付部材５１が設けられている。第１締付部材５１は、第４帯状部２４の内側面部２４ｓの前部分に固定された環状部５ａと、該環状部５ａ内に挿通されたベルト状の固定部５ｂからなる。固定部５ｂは、足首の前方の足の甲ＦＵ部分に対応する位置に、アッパーの外側面部分から延びるように設けられている。固定部５ｂは、該甲ＦＵ部分から前記環状部５ａに向って延びている。固定部５ｂは、環状部５ａ内に挿通され、折り返し部分を面ファスナを用いて固定することが可能である。
【００５２】
着用時には、固定部５ｂを環状部５ａに通し、足の甲ＦＵ部分のアッパー１に向って、固定部５ｂを引き上げ、面ファスナにより固定する。
したがって、前記第１締付部材５１を締め付けて固定することにより、踵の底面、後端面および内側面が補強部材に固定される。踵の内側が第４および第５帯状部２４，２５により強化されているので、着地直後の踵部２Ｈの外反（踵骨回内）を抑制することができる。
【００５３】
また、第１締付部材５１による締付により、第４帯状部２４および第５帯状部２５による２条の内側面部２４ｓ，２５ｓが、それぞれ別個に変形するようにしてもよい。この場合、足の個人差のバラツキに容易に対応することができ、フィット性が向上する。
【００５４】
第１樹脂１０の後領域１２；
図１（ｂ），（ｃ）に示すように、第１樹脂１０の後領域１２は、踵部２Ｈの外側の側面および底面のそれぞれ一部を覆う帯状の外側面部１２ｓおよび底面部１２ｄと、底面部１２ｄから外側面部１２ｓへ巻き上がる外巻上部１２ｕとが一体に形成されている。後領域１２は、第３帯状部２３の後部と、第５帯状部２５の底面部２５ｄにオーバーラップして設けられている。
【００５５】
図４（ｂ）に示すように、靴に荷重が加わった状態では、後領域１２の外側面部１２ｓは、踵骨Ｇの後端の下端部（踵骨隆起Ｇ１の後端の下端部）Ｇｄから距骨Ｊに向って、踵骨Ｇの後端および下端の概ね１／２を覆っていると共に、踵骨隆起Ｇ１の前端部Ｇｆおよび上端部Ｇｕを覆っていない。かかる外側面部１２ｓの配置は、運動時に足の動きを阻害しないようにしつつ、後述する第２締付部材による張力が足の外側面全体の変形に及びやすくするためのものである。
【００５６】
図２の二点鎖線で示すように、第１樹脂１０の後領域１２の横断面が、足の湾曲に沿うように湾曲して形成されている。図１（ｃ）に示すように、前記外側面部１２ｓは、前方に向って斜め上方に延びている。
【００５７】
第２締付部材５２；
アッパー１には、第２締付部材５２が設けられている。第２締付部材５２は、前述の第１締付部材５１と同様に環状部５ａおよびベルト状の固定部５ｂを備えており、環状部５ａは外側面部１２ｓの延長線上のアッパー１に設けられている。固定部５ｂは、足首の前方の足の甲ＦＵ部分に対応する位置に、アッパーの内側面部分から延びるように設けられている。固定部５ｂを環状部５ａに通し、足の甲ＦＵに向って引き上げて固定することができる。このとき、前記外側面部１２ｓ、環状部５ａおよび固定部５ｂは、概ね同一直線上に位置する。
【００５８】
ここで、踵部２Ｈの底面および外側面の一部を覆う後領域１２は、前述のように、剛性が低く足に沿い易い第１樹脂１０で形成されている。したがって、第２締付部材５２を締め付けて固定することにより、後領域１２を踵部２Ｈの底面および側面に容易にフィットさせることができる。
【００５９】
一方、前記保形部材６は、第１樹脂１０の外側面部１２ｓが足の外側面に沿って変形した場合に、アッパー１が踵部２Ｈの後部に沿って変形し易いように、小さめに形成されている。すなわち、図２に示すように、保形部材６は、踵部２Ｈの後端部のみを覆うように形成されている。そのため、保形部材６はアッパーの側面の変形を阻害せず、第２締付部材５２を締め付けることにより、外側面部１２ｓが足の外側面に沿って変形し、足の外側面に外側面部１２ｓおよびアッパー１をフィットさせることができる。
したがって、補強装置の一部を構成する第１樹脂１０の後領域１２が踵の底部および外側面にフィットし易くなると共に、踵のホールド性が向上する。
なお、本実施例においては、保形のために保形部材６を使用したが、必ずしもかかる保形部材を使用せずともよく、使用しない場合はよりフィット性を高めることができる。
【００６０】
なお、前述の実施例では、締付部材５１，５２として、環状部５ａおよび面ファスナを備えた固定部５ｂを例示して説明したが、補強装置を足の甲ＦＵの中央に向って引き上げることが可能な部材であればよく、たとえば、環状部５ａおよび固定部５ｂを用いる他に、アッパー１に紐を通して締め付けるようにしてもよい。
【００６１】
また、第１樹脂１０および第２樹脂２０は、非発泡性の樹脂であればよく、熱可塑性や熱硬化性樹脂の他に、たとえば、ＦＲＰ（fiber reinforced plastic）などの繊維強化性プラスチックなどを用いることができる。
【００６２】
また、第２樹脂２０の踵部の内側部分は、必ずしも２条に形成する必要はなく、３以上の複数条に形成することも可能であるし、あるいは、貫通孔２０ｈを形成せずに第２樹脂２０の踵部の内側部分を１本の帯状部としてもよい。
【００６３】
また、第１樹脂１０の後領域１２については、必ずしも実施例に示す全ての部分を設ける必要はなく、例えば、外側面部１２ｓを全く設けないようにしてもよい。更に、第１樹脂１０の前領域１１と後領域１２とは必ずしも繋部１３によって連結されている必要はなく、繋部１３を設けずに前領域１１と後領域１２とを分断して形成してもよい。
【産業上の利用可能性】
【００６４】
本発明は、陸上競技や、フットボール、ラグビーなどの競技用の靴に利用することができる。
【図面の簡単な説明】
【００６５】
【図１】（ａ）〜（ｃ）は、それぞれ、本発明の実施例にかかる靴の内側面図、底面図および外側面図である。
【図２】同靴の背面図である。
【図３】（ａ）〜（ｃ）は、それぞれ、同靴底の内側面図、底面図および外側面図である。
【図４】（ａ），（ｂ）は、それぞれ、同靴底に荷重が加わった状態を示す内側面図および外側面図である。
【符号の説明】
【００６６】
２：靴底
３：スパイク
１０：第１樹脂
２０：第２樹脂
２１：第１帯状部
２２：第２帯状部
２Ｆ：前足部
３０：連結バー
Ａ：末節骨
Ｂ：基節骨
Ｃ：中足骨
ｆ１：第１指
ｆ２：第２指
ｆ３：第３指
ｆ４：第４指
ｆ５：第５指
【図１】
2005296093.tif 000003
【図２】
2005296093.tif 000004
【図３】
2005296093.tif 000005
【図４】
2005296093.tif 000006